(57)【要約】【課題】画像表示装置において、先行する画像の本来の輝度に対して後続する画像の本来の輝度が低い場合に、後続する本来低い輝度の画像が高い輝度で表示されることによる違和感を軽減する。【解決手段】液晶テレビは、先行する画像の本来の輝度に対して後続する画像の本来の輝度が低い場合に、後続する画像を、その画像の本来の輝度から徐々に輝度を高めるように輝度補正する。このとき、液晶テレビは、補助輝度補正目標値Ｙ、及び、１ステップ毎（６フレーム分の画像を表示する毎）に段階的に増加する補助輝度補正係数Ｙａ（ｎ）（ｎ＝０、１、２、・・・１０）を用いて、補助輝度補正値Ｙｑ（ｎ）をＹｑ（ｎ）＝Ｙ×Ｙａ（ｎ）により算出し、そして、後続する画像を、この輝度補正値Ｙｑ（ｎ）により輝度補正する。これにより、後続する本来低い輝度の画像は、その画像の本来の輝度から徐々に輝度が高められて表示され、違和感が軽減される。【選択図】図２
2009300738.tif 000002
【特許請求の範囲】
【請求項１】
画像を表示するための画像表示部と、前記画像表示部に表示する画像を、その画像の本来の輝度に応じて輝度を高めるように輝度補正する輝度補正手段とを備え、
画像データによる画像を、前記輝度補正手段により輝度補正したうえで、前記画像表示部に表示する画像表示装置において、
前記輝度補正手段は、
先行して表示する画像の本来の輝度に対して、後続して表示する画像の本来の輝度が低い場合に、後続して表示する画像を、その画像の本来の輝度から徐々に輝度を高めるように輝度補正する、
ことを特徴とする画像表示装置。
【請求項２】
前記輝度補正手段は、
先行して表示する画像の本来の輝度に対して、後続して表示する画像の本来の輝度が規定値以上低い場合に、後続して表示する画像を、その画像の本来の輝度から徐々に輝度を高めるように輝度補正する、
ことを特徴とする請求項１に記載の画像表示装置。
【請求項３】
前記輝度補正手段は、
後続して表示する画像を、その画像の本来の輝度から最終的に所定の目標輝度に輝度を高めるように輝度補正する、
ことを特徴とする請求項２に記載の画像表示装置。
【請求項４】
前記輝度補正手段は、
後続して表示する画像を、その画像の本来の輝度から、所定時間経過毎に段階的に輝度を高めるように輝度補正する、
ことを特徴とする請求項３に記載の画像表示装置。
【請求項５】
前記画像表示部は、液晶パネルであり、
放送局から配信されるテレビジョン放送信号を受信して、テレビジョン放送信号に基く画像データによる画像を、前記輝度補正手段により輝度補正したうえで、前記液晶パネルに表示する、
ことを特徴とする請求項４に記載の画像表示装置。
【発明の詳細な説明】
【技術分野】
【０００１】
本発明は、例えば液晶パネル等の画像表示部に画像を表示する画像表示装置に関するものである。
【背景技術】
【０００２】
従来から、画像表示装置として、放送局から配信されるテレビジョン放送信号を受信して、テレビジョン放送信号に基く画像データによる画像を液晶パネルに表示する、いわゆる液晶テレビと呼ばれる装置がある。
【０００３】
このような液晶テレビにおいて、テレビジョン放送信号に基く画像データによる画像（液晶パネルに表示する画像）を、その画像の本来の輝度に応じて輝度を高めるように輝度補正したうえで、液晶パネルに表示する輝度補正機能（ダイナミックガンマ補正機能）を有するものがある。この輝度補正機能は、画像の本来の輝度が低い場合であっても、その画像を明るく見易くするための機能である。
【０００４】
この輝度補正機能では、画像の輝度を補正するための輝度補正値が、画像の本来の輝度に対応して予め一定の値に決められており、その輝度補正値によって、テレビジョン放送信号に基く画像データによる画像を輝度補正するようになっている。輝度補正値は、画像の本来の輝度が低いほど輝度を高めるように（液晶パネルに表示したときの輝度を高くするように）、その値が決められている。
【０００５】
すなわち、この輝度補正機能では、テレビ放送信号に基く画像データによる画像を、その画像の本来の輝度に応じて一定の輝度に高めるように輝度補正したうえで、また、その画像の本来の輝度が低いほど輝度を高めるように輝度補正したうえで、液晶パネルに表示するようになっている。液晶パネルに表示される画像は、その画像の本来の輝度が低いほど、その画像の本来の輝度と液晶パネルに表示したときの輝度との輝度差が大きくなる。
【０００６】
また、過去の画像が明るかった場合には、現在の画像の明るさの増加率を抑えて、画像が極端に明るくならないようにし、過去の画像が暗かった場合には、現在の画像の明るさの減少率を抑えて、画像が極端に暗くならないようにした画像表示装置が知られている（例えば特許文献１参照）。また、コントラスト情報及び映像信号の明るさ情報をアドレスとして、ＲＯＭから対応した補正データを読み出し、その補正データを用いて映像信号のコントラスト及びガンマ補正することにより、アナログのコントラスト調整を不要にした画像表示装置が知られている（例えば特許文献２参照）。また、画像の平均輝度が低い場合、その最大出力を一定に保持しながら、その中間輝度を増加させて、全体の画像を見易くするようにした画像表示装置が知られている（例えば特許文献３参照）。また、低諧調領域における諧調補正誤差を小さくして不自然な画像が表示されるのを防止するようにした画像表示装置が知られている（例えば特許文献４参照）。
【特許文献１】特開平７−５８９８３号公報
【特許文献２】特開平８−１９０３６３号公報
【特許文献３】特開平１１−３２７４９６号公報
【特許文献４】特開平１１−２０５６３３号公報
【発明の開示】
【発明が解決しようとする課題】
【０００７】
ところで、上述した従来の輝度補正機能を有する（液晶パネルに表示する画像を、その画像の本来の輝度に応じて輝度を高めるように輝度補正したうえで表示する）液晶テレビにおいては、先行する画像の本来の輝度に対して後続する画像の本来の輝度が低い場合、本来低い輝度の画像が高い輝度で表示されることにより、ユーザに違和感を与えてしまうことがある。
【０００８】
この違和感は、画像の本来の輝度が低いほど、液晶パネルに表示するときの画像の輝度を高めるように輝度補正していることにより、先行する画像の本来の輝度に対する後続する画像の本来の輝度の低下量よりも、先行する画像の液晶パネルに表示したときの輝度に対する後続する画像の液晶パネルに表示したときの輝度の低下量の方が小さくなることが原因である。
【０００９】
また、この違和感は、先行する画像の本来の輝度に対する後続する画像の本来の輝度の低下量が大きいほど、顕著となる。これは、画像の本来の輝度が低いほど、輝度を高めるように輝度補正していることにより、先行する画像の本来の輝度に対する後続する画像の本来の輝度の低下量が大きいほど、先行する画像の本来の輝度に対する後続する画像の本来の輝度の低下量よりも、先行する画像の液晶パネルに表示したときの輝度に対する後続する画像の液晶パネルに表示したときの輝度の低下量の方が小さくなるためである。なお、上述した特許文献１乃至特許文献４に開示の内容を適用したとしても、上記の問題を解決することはできない。
【００１０】
本発明は、上記課題を解決するためになされたものであり、表示する画像を、その画像の本来の輝度に応じて輝度を高めるように輝度補正したうえで表示する画像表示装置において、先行する画像の本来の輝度に対して後続する画像の本来の輝度が低い場合に、後続する本来低い輝度の画像が高い輝度で表示されることによる違和感を軽減することができる画像表示装置を提供することを目的とする。
【課題を解決するための手段】
【００１１】
上記目的を達成するために請求項１の発明は、画像を表示するための画像表示部と、画像表示部に表示する画像を、その画像の本来の輝度に応じて輝度を高めるように輝度補正する輝度補正手段とを備え、画像データによる画像を、輝度補正手段により輝度補正したうえで、画像表示部に表示する画像表示装置において、輝度補正手段は、先行して表示する画像の本来の輝度に対して、後続して表示する画像の本来の輝度が低い場合に、後続して表示する画像を、その画像の本来の輝度から徐々に輝度を高めるように輝度補正するものである。
【００１２】
請求項２の発明は、請求項１に記載の画像表示装置において、輝度補正手段は、先行して表示する画像の本来の輝度に対して、後続して表示する画像の本来の輝度が規定値以上低い場合に、後続して表示する画像を、その画像の本来の輝度から徐々に輝度を高めるように輝度補正するものである。
【００１３】
請求項３の発明は、請求項２に記載の画像表示装置において、輝度補正手段は、後続して表示する画像を、その画像の本来の輝度から最終的に所定の目標輝度に輝度を高めるように輝度補正するものである。
【００１４】
請求項４の発明は、請求項３に記載の画像表示装置において、輝度補正手段は、後続して表示する画像を、その画像の本来の輝度から、所定時間経過毎に段階的に輝度を高めるように輝度補正するものである。
【００１５】
請求項５の発明は、請求項４に記載の画像表示装置において、画像表示部は、液晶パネルであり、放送局から配信されるテレビジョン放送信号を受信して、テレビジョン放送信号に基く画像データによる画像を、輝度補正手段により輝度補正したうえで、液晶パネルに表示するものである。
【発明の効果】
【００１６】
請求項１乃至４の発明によれば、先行する画像の本来の輝度に対して後続する画像の本来の輝度が低い場合、後続する本来低い輝度の画像は、その画像の本来の輝度から徐々に輝度を高めるように輝度補正されて表示される。これにより、先行する本来高い輝度の画像が表示されている状態から、後続する本来低い輝度の画像が表示される状態に切り替ったときに、後続する本来低い輝度の画像は、先行する画像と比較して、どの程度の輝度の低い画像であるかがユーザに認識され、後続する本来低い輝度の画像が高い輝度で表示されることによりユーザに与える違和感を軽減することができる。しかも、後続する本来低い輝度の画像は、その画像の本来の輝度から徐々に輝度を高めるように輝度補正されて表示されるため、先行する本来高い輝度の画像が表示されている状態から、後続する本来低い輝度の画像が表示される状態に切り替った後、ユーザに違和感を与えることなく、画像の輝度を高めて画像を明るく見易くすることができる。
【００１７】
請求項５の発明によれば、テレビジョン放送信号に基く画像を液晶パネルに表示する装置において、請求項１乃至４と同様の効果が得られる。
【発明を実施するための最良の形態】
【００１８】
以下、本発明を具体化した実施形態による画像表示装置について図面を参照して説明する。図１は、本実施形態による画像表示装置である液晶テレビの構成を示す。液晶テレビ１は、放送局から配信されるテレビジョン放送信号（以下、テレビ放送信号と略す）を受信して、テレビ放送信号に基く画像を表示すると共に、テレビ放送信号に基く音声を出力する装置である。
【００１９】
液晶テレビ１は、チューナ２と、液晶パネル３と、スピーカ４と、リモコン（リモートコントローラ）５と、リモコン受信部６と、バッファメモリ７と、液晶テレビ１の動作を制御する制御部８等を備える。制御部８は、ＣＰＵ１１及びＲＯＭ１２等を有している。ＲＯＭ１２は、液晶テレビ１の動作を制御するためのプログラムや各種データを記憶している。
【００２０】
この液晶テレビ１は、テレビ放送信号に基く画像データによる画像（液晶パネル３に表示する画像）を、その画像の本来の輝度に応じて輝度を高めるように輝度補正したうえで、液晶パネル３に表示する輝度補正機能（ダイナミックガンマ補正機能）を有している。画像の本来の輝度とは、画像を液晶パネル３に表示する前の（画像を輝度補正する前の）、元々の画像データが表現する画像の輝度である。この輝度補正機能は、画像の本来の輝度が低い場合であっても、その画像を明るく見易くするための機能である。
【００２１】
チューナ２は、制御部８による制御のもと、テレビ放送信号を受信し、その受信したテレビ放送信号を復調処理、Ａ／Ｄ変換処理、デコード処理等して、テレビ放送信号に基く画像の画像データ及びテレビ放送信号に基く音声の音声データを生成、出力する。液晶パネル３は、制御部８による制御のもと、画像データが供給されることにより、その画像データによる画像を表示する。液晶パネル３により、画像表示部が構成されている。スピーカ４は、制御部８による制御のもと、音声データが供給されることにより、その音声データによる音声を出力する。
【００２２】
リモコン５は、液晶テレビ１の電源オン／オフ、テレビ放送信号のチャンネル選局等、液晶テレビ１の各種動作を制御するために人に操作され、その操作に対応付けられた操作信号を無線信号によって送信する。リモコン受信部６は、リモコン５から送信された無線信号を受信して、その受信した無線信号に対応する受信信号を出力する。バッファメモリ７は、制御部８による制御のもと、チューナ２により生成されたテレビ放送信号に基く画像の画像データ及びテレビ放送信号に基く音声の音声データ等を一時的に記憶する。
【００２３】
制御部８（ＣＰＵ１１）は、リモコン受信部６から出力される受信信号、及びＲＯＭ１２に記憶しているプログラムや各種データに基いて、テレビ放送信号に基く画像を表示するテレビ受像動作等、液晶テレビ１の各種動作を制御する。
【００２４】
テレビ受像動作は、制御部８による制御のもと、以下のようにして行われる。すなわち、制御部８は、テレビ放送信号をチューナ２によって受信させ、チューナ２から出力されるテレビ放送信号に基く画像データによる画像を液晶パネル３に表示（例えば毎秒６０フレーム分の画像を表示）させると共に、チューナ２から出力されるテレビ放送信号に基く音声データによる音声をスピーカ４から出力させる。
【００２５】
このとき、制御部８は、テレビ放送信号に基く画像データによる画像（液晶パネル３に表示する画像）を、その画像の本来の輝度に応じて輝度を高めるように輝度補正する。すなわち、制御部８は、テレビ放送信号に基く画像データによる画像を、その画像の本来の輝度に応じて輝度を高めるように輝度補正したうえで、液晶パネル３に表示させる。画像の輝度補正は、テレビ放送信号に基く画像データをバッファメモリ７に蓄え、その画像データを、ＲＯＭ１２に記憶している輝度調整用データに基いて、処理することにより行われる。制御部８（ＣＰＵ１１及びＲＯＭ１２に記憶されているプログラムや各種データ）等によって、輝度補正手段が構成されている。
【００２６】
また、制御部８は、先行して表示する画像の本来の輝度に対して、後続して表示する画像の本来の輝度が高い場合、及び、先行して表示する画像の本来の輝度に対して、後続して表示する画像の本来の輝度が規定値未満の範囲で低い場合には、通常輝度補正処理を行い、一方、先行して表示する画像の本来の輝度に対して、後続して表示する画像の本来の輝度が規定値以上低い場合には、補助輝度補正処理を行う。
【００２７】
通常輝度補正処理では、制御部８は、後続して表示する画像を、通常輝度補正値Ｙｐによって輝度補正する。通常輝度補正値Ｙｐは、画像の本来の平均輝度に対応して、複数の一定の値に予め決められている。また、通常輝度補正値Ｙｐは、画像の本来の平均輝度が低いほど輝度を高めるように（液晶パネル３に表示したときの輝度を高くするように）、その値が決められている。すなわち、通常輝度補正処理では、制御部８は、後続して表示する画像を、その画像の本来の平均輝度に応じて一定の輝度に高めるように、また、その画像の本来の平均輝度が低いほど輝度を高めるように、輝度補正する。
【００２８】
本実施形態では、画像の本来の平均輝度を複数の輝度領域Ｒ（ｍ）（ｍ＝１、２、・・・、１０：Ｒ（１）、Ｒ（２）、・・・、Ｒ（１０））によって分別するようにしており、それら複数の輝度領域Ｒ（ｍ）に対応して、異なる複数の通常輝度補正値Ｙｐ（ｍ）（Ｙｐ（１）、Ｙｐ（２）、・・・、Ｙｐ（１０））が予め決められている。すなわち、後続して表示する画像の本来の平均輝度が輝度領域Ｒ（ｍ）の範囲内であれば、その後続して表示する画像は、その輝度領域Ｒ（ｍ）に対応する通常輝度補正値Ｙｐ（ｍ）によって輝度補正される。これら輝度領域Ｒ（ｍ）、通常輝度補正値Ｙｐ（ｍ）、及び輝度領域Ｒ（ｍ）と通常輝度補正値Ｙｐ（ｍ）との対応関係は、輝度調整用データとしてＲＯＭ１２に記憶されている。
【００２９】
輝度領域Ｒ（ｍ）は、例えば、
平均輝度が０［ＩＲＥ］〜１０［ＩＲＥ］の範囲がＲ（１）、
平均輝度が１１［ＩＲＥ］〜２０［ＩＲＥ］の範囲がＲ（２）、
平均輝度が２１［ＩＲＥ］〜３０［ＩＲＥ］の範囲がＲ（３）、
平均輝度が３１［ＩＲＥ］〜４０［ＩＲＥ］の範囲Ｒが（４）、
平均輝度が４１［ＩＲＥ］〜５０［ＩＲＥ］の範囲Ｒが（５）、
平均輝度が５１［ＩＲＥ］〜６０［ＩＲＥ］の範囲Ｒが（６）、
平均輝度が６１［ＩＲＥ］〜７０［ＩＲＥ］の範囲Ｒが（７）、
平均輝度が７１［ＩＲＥ］〜８０［ＩＲＥ］の範囲Ｒが（８）、
平均輝度が８１［ＩＲＥ］〜９０［ＩＲＥ］の範囲Ｒが（９）、
平均輝度が９１［ＩＲＥ］〜１００［ＩＲＥ］の範囲がＲ（１０）、
とされる。
【００３０】
図２は、補助輝度補正処理を行うときに用いる補助輝度補正テーブルを示す。補助輝度補正処理では、制御部８は、後続して表示する画像を、補助輝度補正値Ｙｑによって輝度補正する。補助輝度補正値Ｙｑは、所定の補助輝度補正目標値Ｙに、０．０〜１．０に徐々に増加される補助輝度補正係数Ｙａを乗算することにより算出される。すなわち、補助輝度補正処理では、制御部８は、後続して表示する画像を、その画像の本来の輝度から徐々に高めるように、また、最終的に、補助輝度補正目標値Ｙによって輝度補正したときの輝度である目標輝度に輝度を高めるように、輝度補正する。補助輝度補正目標値Ｙは、後続して表示する画像の本来の平均輝度に対応する通常輝度補正値Ｙｐ（ｍ）と同じ値に設定される。
【００３１】
本実施形態では、補助輝度補正係数Ｙａは、図２に示す補助輝度補正テーブルに基いて決定される。すなわち、補助輝度補正係数Ｙａは、ステップ数ｎ（ｎ＝０、１、２、・・・、１０）に応じて、段階的に増加するように決定される。ステップ数ｎは、１フレーム分の画像の表示回数に応じて（すなわち時間の経過に応じて）変化するパラメータであり、６フレーム分の画像を表示する毎に「１」増加する。補助輝度補正係数Ｙａ（ｎ）は、ステップ数ｎに応じて、Ｙａ（０）＝０．０、Ｙａ（１）＝０．１、Ｙａ（２）＝０．２、Ｙａ（３）＝０．３、Ｙａ（４）＝０．４、Ｙａ（５）＝０．５、Ｙａ（６）＝０．６、Ｙａ（７）＝０．７、Ｙａ（８）＝０．８、Ｙａ（９）＝０．９、Ｙａ（１０）＝１．０と決定される。つまり、補助輝度補正係数Ｙａ（ｎ）は、ステップ数ｎが１増加する毎（６フレーム分の画像を表示する毎）に、０．１ずつ、一定の割合で、段階的に増加するように決定される。補助輝度補正テーブル（ステップ数ｎ、補助輝度補正係数Ｙａ（ｎ）、及びステップ数ｎと補助輝度補正係数Ｙａ（ｎ）との対応関係）は、輝度調整用データとしてＲＯＭ１２に記憶されている。
【００３２】
補助輝度補正値Ｙｑは、Ｙｑ（ｎ）＝Ｙ×Ｙａ（ｎ）によって算出される。従って、補助輝度補正値Ｙｑ（ｎ）は、ステップ数ｎが１増加する毎に、補助輝度補正係数Ｙａ（ｎ）が増加することに伴って段階的に増加し、最終的に（ステップ数ｎが１０になると）、補助輝度補正目標値Ｙになる。
【００３３】
補助輝度補正処理では、このように変化する補助輝度補正値Ｙｑ（ｎ）によって、後続して表示する画像が輝度補正される。従って、後続して表示する画像は、その画像の本来の輝度から所定時間経過毎（６フレーム分の画像を表示する毎＝１ステップ毎）に段階的に（すなわち徐々に）輝度が高められ、また、最終的に、補助輝度補正目標値Ｙによって輝度補正したときの輝度である目標輝度に輝度が高められる。
【００３４】
図３は、上記液晶テレビ１のテレビ受像動作における画像の輝度補正の動作フローチャートを示す。まず、制御部８は、液晶パネル３に表示する画像（テレビ放送信号に基く画像データによる画像）の平均輝度の低下量（すなわち、先行して表示した画像の本来の平均輝度に対する、後続して表示する画像の本来の平均輝度の低下量）を算出する（＃１）。
【００３５】
そして、平均輝度の低下量が規定低下量より大きくない場合（すなわち、先行して表示する画像の本来の平均輝度に対して、後続して表示する画像の本来の平均輝度が高い場合、及び、先行して表示する画像の本来の平均輝度に対して、後続して表示する画像の本来の平均輝度が規定値未満の範囲で低い場合）には（＃２でＮＯ）、制御部８は、通常輝度補正処理を行う（＃３）。
【００３６】
通常輝度補正処理では、制御部８は、後続して表示する画像である表示対象画像（そのとき液晶パネル３に表示しようとする１フレーム分の画像）を、表示対象画像の本来の平均輝度に対応する通常輝度補正値Ｙｐ（ｍ）によって輝度補正したうえで、液晶パネル３に表示する。
【００３７】
一方、平均輝度の低下量が規定低下量より大きい場合（すなわち、先行して表示する画像の本来の平均輝度に対して、後続して表示する画像の本来の平均輝度が規定値以上低い場合）には（＃２でＹＥＳ）、制御部８は、補助輝度補正処理を行う（＃４）。
【００３８】
図４は、上記補助輝度補正処理のフローチャートを示す。補助輝度補正処理では、制御部６は、まず、変数ｎの値を「０」に設定すると共に、変数ｆの値を「０」に設定する（＃１１）。変数ｎの値は、画像の輝度を段階的に変化させるステップ数を示しており、変数ｆの値は、１フレーム分の画像の表示回数を示している。また、制御部８は、表示対象画像の平均輝度に対応する通常輝度補正値Ｙｐ（ｍ）を、補助輝度補正目標値Ｙとして設定する（＃１２）。
【００３９】
続いて、制御部８は、補助輝度補正目標値Ｙ、及び、補助輝度補正係数Ｙａ（ｎ）により、補助輝度補正値Ｙｑ（ｎ）を算出する（＃１３）。補助輝度補正係数Ｙａ（ｎ）は、ＲＯＭ１２に記憶している補助輝度補正テーブルを参照して、変数ｎの値（ステップ数ｎ）に対応する値に決定される。補助輝度補正値Ｙｑ（ｎ）は、Ｙｑ（ｎ）＝Ｙ×Ｙａ（ｎ）によって算出される。
【００４０】
そして、制御部８は、変数ｆの値を「１」増加させ（＃１４）、表示対象画像（そのとき液晶パネル３に表示しようとする１フレーム分の画像）を、補助輝度補正値Ｙｑ（ｎ）により輝度補正したうえで、液晶パネル３に表示する（＃１５）。
【００４１】
ここで、変数ｆの値が「６」を超えていなければ（＃１６でＮＯ）、制御部８は、上記＃１４、＃１５の処理を繰り返す。すなわち、制御部８は、次の表示対象画像（次の１フレーム分の画像）を、同じ補助輝度補正値Ｙｑ（ｎ）により輝度補正したうえで、液晶パネル３に表示する。
【００４２】
＃１４、＃１５の処理は、＃１６で変数ｆの値が「６」を超えるまで繰り返される。変数ｆの値が「６」を超えるまで＃１４、＃１５の処理が繰り返されることにより、６フレーム分の画像が、同じ補助輝度補正値Ｙｑ（ｎ）により輝度補正されて液晶パネル３に表示される。
【００４３】
また、＃１６で変数ｆの値が「６」を超えたとき、変数ｎの値が「１０」を超えていなければ（＃１７でＮＯ）、制御部８は、変数ｎの値を「１」増加させると共に、変数ｆの値を「０」に設定して（＃１８）、上記＃１３〜＃１６の処理を繰り返す。これにより、＃１３において、次のステップにおける補助輝度補正値Ｙｑ（ｎ）が算出され（補助輝度補正値Ｙｑ（ｎ）が増加され）、そして、＃１４〜＃１６の繰り返しにおいて、次の６フレーム分の画像が、次のステップにおける補助輝度補正値Ｙｑ（ｎ）により輝度補正されて液晶パネル３に表示される。すなわち、６フレーム分の画像の表示が１ステップとなって、１ステップ毎（６フレーム分の画像を表示する毎）に補助輝度補正値Ｙｑ（ｎ）が段階的に増加され、後続して表示する表示対象画像は、１ステップ毎に段階的に増加する補助輝度補正値Ｙｑ（ｎ）により輝度補正されて液晶パネル３に表示される。
【００４４】
＃１３〜＃１６の処理は、変数ｎの値が「１０」を超えるまで繰り返される。変数ｎの値が「１０」に達すると、補助輝度補正値Ｙｑ（ｎ）は補助輝度補正目標値Ｙ（すなわち通常輝度補正値Ｙｐ（ｍ））と等しくなり、後続して表示する表示対象画像は、通常輝度補正値Ｙｐ（ｍ）と同じ値の補助輝度補正値Ｙｑ（ｎ）により輝度補正されて液晶パネル３に表示される。変数ｎの値が「１０」を超えると（＃１７でＹＥＳ）、制御部８は、補助輝度補正処理を終了する。
【００４５】
このような補助輝度補正処理によれば、液晶パネル３に表示される画像は、その画像の本来の輝度から１ステップ毎（６フレーム分の画像の表示に対応する所定時間経過毎）に段階的に輝度が高められる。すなわち、液晶パネル３に表示される画像は、その画像の本来の輝度から徐々に輝度が高められる。また、液晶パネル３に表示される画像は、最終的に、補助輝度補正目標値Ｙ（通常輝度補正値Ｙｐ（ｍ）と同じ値の補助輝度補正値Ｙｑ（ｎ））によって輝度補正したときの輝度である目標輝度まで輝度が高められる。例えば毎秒６０フレーム分の画像を表示する場合には、液晶パネル３に表示される画像は、約１秒程度の時間を要して、画像の本来の輝度から目標輝度まで輝度が高められる。
【００４６】
このような構成の液晶テレビ１によれば、先行する画像の本来の輝度に対して後続する画像の本来の輝度が規定値以上低い場合、後続する本来低い輝度の画像は、その画像の本来の輝度から徐々に輝度を高めるように輝度補正されて表示される。これにより、先行する本来高い輝度の画像が表示されている状態から、後続する本来低い輝度の画像が表示される状態に切り替ったときに、後続する本来低い輝度の画像は、先行する画像と比較して、どの程度の輝度の低い画像であるかがユーザに認識され、後続する本来低い輝度の画像が高い輝度で表示されることによりユーザに与える違和感を軽減することができる。
【００４７】
しかも、後続する本来低い輝度の画像は、その画像の本来の輝度から徐々に輝度を高めるように輝度補正されて表示されるため、先行する本来高い輝度の画像が表示されている状態から、後続する本来低い輝度の画像が表示される状態に切り替った後、ユーザに違和感を与えることなく、画像の輝度を高めて画像を明るく見易くすることができる。
【００４８】
なお、本発明は、上記実施形態の構成に限られず、種々の変形が可能である。例えば、平均輝度の低下量が規定低下量より大きい場合（すなわち、先行して表示する画像の本来の平均輝度に対して、後続して表示する画像の本来の平均輝度が規定値以上低い場合）に限られず、平均輝度が低下する全ての場合（すなわち、先行して表示する画像の本来の平均輝度に対して、後続して表示する画像の本来の平均輝度が低い全ての場合）に、補助輝度補正処理を行って、後続して表示する画像を、その画像の本来の輝度から徐々に輝度を高めるように輝度補正してもよい。また、補助輝度補正処理において画像の輝度を徐々に高めるように輝度補正するには、段階的に輝度を高めるように輝度補正する以外に、連続的に輝度を高めるように輝度補正してもよく、また、数秒〜数十秒程度の時間をかけて、画像の本来の輝度から目標輝度まで輝度を高めるようにしてもよい。また、本発明は、液晶テレビに限られず、例えば、ＤＶＤプレイヤ等のＡＶ機器に接続して使用される画像表示装置や、パーソナルコンピュータに用いられる画像表示装置等、他の画像表示装置にも適用可能である。また、画像を撮影して、その撮影画像を表示する画像表示装置にも適用可能である。
【図面の簡単な説明】
【００４９】
【図１】本発明の一実施形態に係る液晶テレビの概略構成を示す電気的ブロック構成図。
【図２】同液晶テレビの補助輝度補正処理を行うときに用いる補助輝度補正テーブルを示す図。
【図３】同液晶テレビのテレビ受像動作における画像の輝度補正の動作を示すフローチャート。
【図４】同液晶テレビの補助輝度補正処理を示すフローチャート。
【符号の説明】
【００５０】
１    液晶テレビ（画像表示装置）
２    チューナ
３    液晶パネル
４    スピーカ
５    リモコン
６    リモコン受信部
７    バッファメモリ
８    制御部（輝度補正手段）
１１    ＣＰＵ
１２    ＲＯＭ
【図１】
2009300738.tif 000003
【図２】
2009300738.tif 000004
【図３】
2009300738.tif 000005
【図４】
2009300738.tif 000006